(57)【特許請求の範囲】
【請求項１】
吹出口に設けられ、前記吹出口から送り出される空気の方向を変えるベーンを備え、
前記ベーンの内部には、液体の芳香剤が貯留される貯留室が形成され、
前記ベーンには、前記貯留室と前記ベーンの外部とを連通する芳香剤供給孔が形成されており、
前記ベーンには、前記貯留室と前記ベーンの外部とを連通する含浸材挿入孔が形成されており、
一端部が前記貯留室に挿入され、他端部が前記ベーンの外部に配置され、前記含浸材挿入孔に挿入される含浸材をさらに備えている室内機用芳香剤放出装置。
【請求項２】
前記芳香剤が貯留される貯留槽と、
前記貯留槽から前記芳香剤供給孔を通って前記ベーンに前記芳香剤を供給する芳香剤流路部材と
をさらに備えている請求項１に記載の室内機用芳香剤放出装置。
【請求項３】
前記芳香剤流路部材における前記芳香剤が流れる流路を開閉する弁装置をさらに備えている請求項２に記載の室内機用芳香剤放出装置。
【請求項４】
前記貯留室は、前記ベーンにおける長手方向中間部に配置されている請求項１から請求項３までの何れか一項に記載の室内機用芳香剤放出装置。
【発明の詳細な説明】
【技術分野】
【０００１】
この発明は、吸込口から吸い込まれた空気を吹出口から吐き出す室内機における室内機用芳香剤放出装置に関する。
【背景技術】
【０００２】
従来、吹出口に設けられ、吹出口から吹き出される空気の方向を変えるベーンと、ベーンの表面に設けられ、芳香剤を含む毛とを備えている室内機用芳香剤放出装置が知られている（例えば、特許文献１参照）。
【先行技術文献】
【特許文献】
【０００３】
【特許文献１】実開平５−１７４３７号公報
【発明の概要】
【発明が解決しようとする課題】
【０００４】
しかしながら、芳香剤が不足した場合には、ベーンを交換しなければならないので、芳香剤の供給効率が悪いという問題点があった。
【０００５】
この発明は、芳香剤の供給効率を向上させることができる室内機用芳香剤放出装置を提供するものである。
【課題を解決するための手段】
【０００６】
この発明に係る室内機用芳香剤放出装置は、吹出口に設けられ、吹出口から送り出される空気の方向を変えるベーンを備え、ベーンの内部には、液体の芳香剤が貯留される貯留室が形成され、ベーンには、貯留室とベーンの外部とを連通する芳香剤供給孔が形成されており、ベーンには、貯留室とベーンの外部とを連通する含浸材挿入孔が形成されており、一端部が貯留室に挿入され、他端部がベーンの外部に配置され、含浸材挿入孔に挿入される含浸材をさらに備えている。
【発明の効果】
【０００７】
この発明に係る室内機用芳香剤放出装置によれば、ベーンの内部には、芳香剤が貯留される貯留室が形成され、ベーンには、貯留室とベーンの外部とを連通する芳香剤供給孔が形成されているので、貯留室に貯留される芳香剤が不足した場合には、外部から芳香剤供給孔を介して貯留室に芳香剤を供給することができる。その結果、芳香剤の供給効率を向上させることができる。
【図面の簡単な説明】
【０００８】
【図１】この発明の実施の形態１に係る室内機を示す正面図である。
【図２】図１の室内機を示す底面図である。
【図３】図１の室内機を示す平面図である。
【図４】図１の芳香剤供給装置を示す側面図である。
【図５】図１のベーンを示す平面図である。
【図６】図５のＶＩ−ＶＩ線に沿った矢視断面図である。
【発明を実施するための形態】
【０００９】
実施の形態１．
図１はこの発明の実施の形態１に係る室内機を示す正面図、図２は図１の室内機を示す底面図、図３は図１の室内機を示す平面図である。図において、室内機は、天井に支持される本体部１と、本体部１における室内側に配置される化粧板２とを備えている。化粧板２には、空気が室内から吸い込まれる吸込口２１と、空気が室内へ吹き出される４個の吹出口２２とが形成されている。吸込口２１は、化粧板２における中央部分に配置されている。４個の吹出口２２は、吸込口２１を囲むように配置されている。
【００１０】
また、室内機は、吹出口２２を開閉する４個のベーン３と、ベーン３に芳香剤を供給する芳香剤供給装置４とをさらに備えている。ベーン３および芳香剤供給装置４から本発明の室内機用芳香剤放出装置が構成されている。ベーン３は、ぞれぞれの吹出口２２に設けられている。芳香剤供給装置４は、それぞれのベーン３に芳香剤を供給する。
【００１１】
芳香剤供給装置４は、芳香剤が貯留される貯留槽４１と、それぞれの貯留槽４１からベーン３に芳香剤を供給する芳香剤流路部材４２とを備えている。この例では、芳香剤供給装置４は、２個の貯留槽４１を備えている。２個の貯留槽４１は、化粧板２において天井に形成された点検口５に近い部分に配置されている。また、２個の貯留槽４１は、本体部１を挟むように配置されている。
【００１２】
図４は図１の芳香剤供給装置４を示す側面図である。芳香剤流路部材４２には、貯留槽４１からベーン３に芳香剤が流れる流路が形成されている。この例では、芳香剤流路部材４２は、１個の貯留槽４１から２個のベーン３に芳香剤を供給する。したがって、故障などの理由によって一方の貯留槽４１からベーン３への芳香剤の供給ができない状態となった場合であっても、他方の貯留槽４１からベーン３へ芳香剤を供給することによって、芳香剤を室内に放出することができる。
【００１３】
芳香剤供給装置４は、芳香剤流路部材４２における芳香剤が流れる流路を開閉する４個の弁装置４３をさらに備えている。弁装置４３は、それぞれのベーン３に供給される芳香剤が流れる流路を開閉する。ベーン３を点検する場合には、点検作業者が弁装置４３を操作して、芳香剤流路部材４２における芳香剤が流れる流路を閉じる。これにより、ベーン３が化粧板２から取り外された場合に、芳香剤流路部材４２から芳香剤が漏れ出ることが防止される。点検作業が終了した場合には、点検作業者が弁装置４３を操作して、芳香剤流路部材４２における芳香剤が流れる流路を開く。
【００１４】
図５は図１のベーン３を示す平面図、図６は図５のＶＩ−ＶＩ線に沿った矢視断面図である。ベーン３の内部には、芳香剤が貯留される貯留室３１が形成されている。また、ベーン３には、貯留室３１とベーン３の外部とを連通する含浸材挿入孔であるろ紙挿入孔３２と、貯留室３１とベーン３の外部とを連通する芳香剤供給孔３３とが形成されている。
【００１５】
また、芳香剤供給装置４は、一端部が貯留室３１に挿入され、他端部がベーン３の外部に配置され、芳香剤供給孔３３に挿入される含浸材であるろ紙部材４４をさらに備えている。ろ紙部材４４は、ろ紙部材４４がろ紙挿入孔３２に挿入された場合に、一端部が貯留室３１に挿入され、他端部がベーン３の外部に配置される。したがって、貯留室３１に芳香剤が貯留されている場合には、ろ紙部材４４が貯留室３１に貯留されている芳香剤を吸い上げて、吸い上げられた芳香剤は気化してベーン３の外部に放出される。
【００１６】
芳香剤流路部材４２の先端部は、芳香剤供給孔３３に挿入されている。したがって、芳香剤流路部材４２を流れた芳香剤は、貯留室３１に貯留される。芳香剤流路部材４２の先端部は、ベーン３の変位に対応して変形可能となっている。したがって、芳香剤流路部材４２は、ベーン３の変位を規制しない。
【００１７】
次に、室内機用芳香剤放出装置の動作について説明する。弁装置４３の位置が、流路が開く開位置である場合に、貯留槽４１から芳香剤流路部材４２を介してベーン３に芳香剤が供給される。ベーン３に供給された芳香剤は、ろ紙部材４４を通って、室内に放出される。一方、弁装置４３の位置が、流路が閉じられる閉位置である場合に、貯留槽４１からベーン３への芳香剤の供給が停止される。これにより、点検作業者がベーン３を芳香剤流路部材４２から切り離した場合に、芳香剤流路部材４２から芳香剤が漏れ出てくることが防止される。その結果、弁装置４３の位置を開位置から閉位置に変位させることによって、芳香剤流路部材４２から芳香剤が漏れ出てくることを防止しながら、例えば、室内機におけるドレンパンを清掃することができる。
【００１８】
以上説明したように、この発明の実施の形態１に係る室内機用芳香剤放出装置によれば、吹出口２２に設けられ、吹出口２２から送り出される空気の方向を変えるベーン３を備え、ベーン３の内部には、芳香剤が貯留される貯留室３１が形成され、ベーン３には、貯留室３１とベーン３の外部とを連通する芳香剤供給孔３３が形成されているので、貯留室３１に貯留された芳香剤が不足した場合には、外部から芳香剤供給孔３３を介して貯留室３１に芳香剤を供給することができる。その結果、芳香剤の供給効率を向上させることができる。
【００１９】
また、この室内機用芳香剤放出装置は、芳香剤が貯留される貯留槽４１と、貯留槽４１から芳香剤供給孔３３を通ってベーン３に芳香剤を供給する芳香剤流路部材４２とをさらに備えているので、点検作業者が手作業によってベーン３に芳香剤を供給する必要がなくなり、芳香剤の供給効率をより向上させることができる。
【００２０】
また、この室内機用芳香剤放出装置は、芳香剤流路部材４２における芳香剤が流れる流路を開閉する弁装置４３をさらに備えているので、貯留槽４１からベーン３へ芳香剤を供給したり、貯留槽４１からベーン３への芳香剤の供給を停止したりすることができる。
【００２１】
また、ベーン３には、貯留室３１とベーン３の外部とを連通するろ紙挿入孔３２が形成されており、この室内機用芳香剤放出装置は、一端部が貯留室３１に挿入され、他端部がろ紙挿入孔３２を通ってベーン３の外部に露出するろ紙部材４４をさらに備えているので、貯留室３１に貯留されている芳香剤を効率よくベーン３の外部に放出することができる。
【００２２】
また、貯留室３１は、ベーン３における長手方向中間部に配置されているので、ベーン３において芳香剤が長手方向に偏って貯留されることを防止することができる。
【００２３】
なお、上記実施の形態１では、芳香剤供給装置４が貯留槽４１と芳香剤流路部材４２とを備えている構成について説明したが、芳香剤供給装置４が貯留槽４１と芳香剤流路部材４２とを備えていない構成であってもよい。この場合であっても、点検作業者が手作業によってベーン３に芳香剤を供給することによって、ベーン３の貯留室３１に芳香剤を供給することができる。この場合には、芳香剤供給装置４は、弁装置４３を備える必要がない。
【００２４】
また、上記実施の形態１では、室内機用芳香剤放出装置がろ紙部材４４を備えている構成について説明したが、室内機用芳香剤放出装置がろ紙部材４４を備えていない構成であってもよい。この場合であっても、貯留室３１に貯留された芳香剤は、貯留室３１とベーン３の外部とを連通する連通孔を通ってベーン３の外部に放出される。
【００２５】
また、上記実施の形態１では、芳香剤供給装置４が２個の貯留槽４１を備えている構成について説明したが、芳香剤供給装置４が１個の貯留槽４１を備えている構成であってもよく、また、芳香剤供給装置４が３個以上の貯留槽４１を備えている構成であってもよい。
【００２６】
また、上記実施の形態１では、１個の貯留槽４１から２個のベーン３に芳香剤が供給される構成について説明したが、１個の貯留槽４１から１個のベーン３に芳香剤が供給される構成であってもよく、１個の貯留槽４１から３個以上のベーン３に芳香剤が供給される構成であってもよい。
【００２７】
また、上記実施の形態１では、室内機用芳香剤放出装置が４個のベーン３を備えている構成について説明したが、室内機用芳香剤放出装置が備えるベーン３の数は、４個以外であってもよい。
【００２８】
また、上記実施の形態１では、芳香剤流路部材４２の先端部が芳香剤供給孔３３に挿入されている構成について説明したが、ベーン３の変位に対応して、芳香剤流路部材４２の先端部が芳香剤供給孔３３に挿入されたり、芳香剤流路部材４２の先端部が芳香剤供給孔３３から引き抜かれたりする構成であってもよい。この場合、弁装置４３は、芳香剤流路部材４２の先端部が芳香剤供給孔３３に挿入されときに開位置となり、芳香剤流路部材４２の先端部が芳香剤供給孔３３から引き抜かれているときに閉位置となる。
【００２９】
また、上記実施の形態１では、含浸材としてろ紙部材４４を例に説明したが、含浸材は、ろ紙部材４４に限らず、芳香剤を吸い上げて、吸い上げられた芳香剤が気化してベーン３の外部に放出される部材であればよい。
【符号の説明】
【００３０】
１  本体部、２  化粧板、３  ベーン、４  芳香剤供給装置、５  点検口、２１  吸込口、２２  吹出口、３１  貯留室、３２  ろ紙挿入孔、３３  芳香剤供給孔、４１  貯留槽、４２  芳香剤流路部材、４３  弁装置、４４  ろ紙部材。
【図１】
0006725189.tif 000002
【図２】
0006725189.tif 000003
【図３】
0006725189.tif 000004
【図４】
0006725189.tif 000005
【図５】
0006725189.tif 000006
【図６】
0006725189.tif 000007